(57)【要約】【課題】簡単な操作で、薬液注入ポンプの装着方向を可変することが可能なカートおよびそのカートに用いる薬液注入ポンプの提供。【解決手段】複数台の薬液注入ポンプの設置方向を同一方向に選択可能な薬液注入ポンプ設置用カートであって、カートに薬液注入ポンプを装着する装着部において、装着部形状は装着部鉛直断面に関して非点対称形状とし、送液方向決定手段の動作に連動させ、右あるいは左の一方向のみに装着可能とした薬液注入ポンプ設置用カートおよびそのカートに用いる薬液注入ポンプ。【選択図】  図３
2004337235.tif 000002
【特許請求の範囲】
【請求項１】
複数台の薬液注入ポンプの設置方向を同一方向に選択可能な薬液注入ポンプ設置用カートであって、
該薬液注入ポンプ設置用カートに装着する薬液注入ポンプの薬液注入方向を左右一方向に状態を保持する保持手段を具備することを特徴とする薬液注入ポンプ設置用カート。
【請求項２】
該薬液注入ポンプを装着する装着部を備え、該装着部の形状は装着方向に対して鉛直な断面に関して非点対称形状とし、送液方向決定手段の動作に連動させ、右あるいは左の一方向のみに装着可能としたことを特徴とする請求項１記載の薬液注入ポンプ設置用カート。
【請求項３】
該薬液注入ポンプ上に流量・動作状態などを表示する表示手段を設けた場合、前記薬液注入ポンプに装着方向検出手段を具備し、装着方向検出手段からの出力信号が右方向の場合を前記表示手段内の表示を正方向とした場合、前記装着方向検出手段からの出力信号が左の場合には、前記表示手段内の表示を１８０度回転表示させ、流量などのご認識を防ぐことを特徴とする請求項１または２の少なくともいずれかに記載の薬液注入ポンプ設置用カート。
【請求項４】
該薬液注入ポンプ設置用カートは、右方向の表示の場合には表示手段に右方向であることが目視可能な文字・記号を表示し、左方向の表示の場合には前記表示方向に左方向であることが目視可能な文字・記号を表示することを特徴とする請求項３に記載の薬液注入ポンプ設置用カート。
【請求項５】
該送液方向決定手段にて決定された該薬液注入ポンプの送液方向を該薬液注入ポンプ設置用カート上の目視可能な位置に記号もしくは文字によって表示され認識可能であることを特徴とする請求項１または２の少なくともいずれかに記載の薬液注入ポンプ設置用カート。
【請求項６】
該薬液注入ポンプは、該該装着部に装着されると少なくとも前記表示手段のうちの少なくとも流量表示部の流量表示が正しく読める向きに表示されることを特徴とする請求項１〜５項の少なくともいずれかに記載の薬液注入ポンプ。
【発明の詳細な説明】
【０００１】
【発明の属する技術分野】
本発明は、複数の薬液注入ポンプ（医療用ポンプ）、特にシリンジポンプを載置できるカート及びそれに用いる薬液注入ポンプに関するものである。
【０００２】
【従来の技術】
近年、ＩＣＵ，ＣＣＵなど主に集中治療分野の領域で１人の患者に対して複数の薬剤をシリンジポンプと呼ばれる医療用ポンプを用いて投与することが多くなっている。そのような場合、医療施設では一般的に複数のポンプ（輸液ポンプ，シリンジポンプ）を取り付け、取り外しできるラックを用意して、そのラックにシリンジポンプを取り付けて患者に薬剤を投与していた。
【０００３】
一般的にシリンジポンプは、操作面に対して右向きあるいは左向きからシリンジの押し子が押されるような構造になっており、一方向に薬剤が投与される。
【０００４】
ＩＣＵなどでは図５に示すように、患者用ベッド５１上の患者５０の頭部（図５（ｃ））や側方（図５（ｂ），（ａ））にこのような輸液用ラック（輸液スタンド）５２をおき、複数のシリンジポンプ５３ａ，５３ｂ，５３ｃ，５３ｄからの薬液ラインをなるべく少ない本数にまとめて、患者５０の鎖骨下、前腕、大腿部などから体内へ注入するようにしている。
【０００５】
シリンジポンプは左右どちらの方向にシリンジジの押子を押すタイプも存在するため、１つのラックにこのような異なるタイプのシリンジポンプを装着し、患者に薬液を投与することは、操作の煩雑性を増長させ、輸液ライン（輸液チューブ）の誤認識などの医療過誤も多くなる要因となっていた。
【０００６】
また、例えば図５（ａ）の場合、シリンジポンプから薬剤が投与される方向は、患者５０と反対側であり、そのままの投与しようとした場合チューブの引き回しが長く、チューブが折れ曲がることによる閉塞などの不具合も発生する可能性が高かった。
【０００７】
【発明が解決しようとする課題】
本発明は、上記問題点に鑑みてなされたものであって、簡単な操作で、シリンジポンプの装着方向を可変することが可能なカートおよびそのカートに用いる薬剤注入ポンプ（シリンジポンプ）を提供することを目的とする。
【０００８】
【課題を解決するための手段】
上記目的を達成するために、本発明のカートは、複数台の薬液注入ポンプ（シリンジポンプ）の設置方向を同一方向に選択可能な薬液注入ポンプ設置用カートであって、薬液注入ポンプ設置用カートに装着する薬液注入ポンプの薬液注入方向を左右一方向に一義的に状態を保持する保持手段を具備することを特徴とする薬液注入ポンプ設置用カートである。
【０００９】
また、薬液注入ポンプを装着する装着部を備え、装着部の形状は装着篏合方向に対して鉛直な断面に関して非点対称形状とし、送液方向決定手段の動作に連動させ、右あるいは左の一方向のみに装着可能としたことを特徴とする。
【００１０】
また、薬液注入ポンプ上に流量・動作状態などを表示する表示手段を設けた場合、薬液注入ポンプに装着方向検出手段を具備し、装着方向検出手段からの出力信号が右方向の場合を表示手段内の表示を正方向とした場合、装着方向検出手段からの出力信号が左の場合には、表示手段内の表示を１８０度回転表示させ、流量などのご認識を防ぐことを特徴とする（左方向を正方向としてもよい）。
【００１１】
また、薬液注入ポンプは、右方向の表示の場合には表示手段に右方向であることが目視可能な文字・記号を表示し、左方向の表示の場合には表示方向に左方向であることが目視可能な文字・記号を表示することを特徴とする。
【００１２】
また、送液方向決定手段にて決定された該薬液注入ポンプの送液方向を薬液注入ポンプ設置用カート上の目視可能な位置に記号もしくは文字によって表示され認識可能であることを特徴とする。
【００１３】
【発明の実施の形態】
以下、本発明の薬液注入ポンプ設置用カートおよび薬液注入ポンプを添付図面に示す好適構成例に基づいて詳細に説明する。
【００１４】
図１は、本発明の薬液注入ポンプ設置用カート１００の実施例を示す全体斜視図であり、（ａ）は後部、（ｂ）は前部を示すものである。また、図３，図４は要部拡大図である。図１において１は少なくとも３個以上より好ましくは安定を図るために５個のキャスタ９を有する可動基台である。可動基台１の略中央位置より支柱２が上方に垂直方向に立ち上がるように固定されている。
【００１５】
薬液バッグ及び／または薬液ビンに形成された係止孔（不図示）に対して係止する係止部を端部に形成したフック５が支柱２の上端からほぼ水平方向になるように固定されており、薬液バッグ及び／または薬液ビンを着脱自在に固定できるようになっている。また、支柱２には長方形形状をした複数の注入ポンプ（シリンジポンプ）位置決め部（凹部）４を有する注入ポンプ取付部３が固定されており、注入ポンプ位置決め部（凹部）４の中心点には、図２に示す注入ポンプ２００を固定する固定ネジ８が設けられている。
【００１６】
注入ポンプ取付部３には注入ポンプ位置決め部（凹部）４内を移動可能な注入ポンプ取付ガイド６とこれを上下方向に摺動させる注入ポンプ取付方向選択手段（注入ポンプ取付方向選択レバー）７を有する。注入ポンプ取付ガイド６は注入ポンプ取付方向選択レバー７を回動させることにより摺動し、これにより注入ポンプ位置決め部（凹部）４と注入ポンプ取付ガイド６との組み合わせで形成される凹部の形状が変更される。
【００１７】
図３に示す注入ポンプ取付部３の要部破断図からわかるように注入ポンプ取付ガイド６は連結部１１を有し、注入ポンプ取付部３に固定された摺動ガイド１４の間に設置されている。注入ポンプ取付方向選択レバー７は回転軸１３と異なる位置に作動ピン１０を有し、作動ピン１０の外径寸法は連結部１１に穿けられた長穴部１２の内径よりも小さい寸法になっている。この作動ピン１０は長穴部１２に挿通されている。
【００１８】
連結部１１にはプランジャー１５が設けられており、また、注入ポンプ取付部３にはプランジャー１５のスプリング部１６が嵌まるプランジャー用凹部１７が設けられている。プランジャー用凹部１７の寸法およびスプリング部１６のバネ力（付勢力）はスプリング部１６がプランジャー用凹部１７に嵌まっている状態では注入ポンプ取付ガイド１４および注入ポンプ取付方向選択レバー７が保持され、且つ注入ポンプ取付方向選択レバー７が過大な力を要することなく回動操作可能である寸法およびバネ力（付勢力）に設定されている。
【００１９】
プランジャー用凹部１７の位置は注入ポンプ取付方向操作レバー７がほぼ鉛直方向上方に向いている状態（図３（ａ））および鉛直方向下方に向いている状態（図３（ｂ））のときにプランジャー１５が嵌まる位置に設けられている。作動ピン１０が長穴部１２に挿通されていることにより注入ポンプ取付方向選択レバー７の回動操作によって作動ピン１０が回転軸１３を中心として回動するとともに、長穴部１２内を左右方向に摺動し、注入ポンプ取付ガイド６が上下方向に摺動する。
【００２０】
このとき、注入ポンプ取付ガイド６が摺動ガイド１４に沿って摺動することにより注入ポンプ取付ガイド６は左右もしくは前後方向に変位せずに上下方向のみに摺動される。つまり注入ポンプ取付方向選択レバー７が上方にある場合は注入ポンプ取付ガイド６は全ての注入ポンプ位置決め凹部４において右上部に位置し、また注入ポンプ取付方向選択レバー７が下方にある場合は注入ポンプ取付ガイド６は全ての注入ポンプ位置決め凹部４において右下部に位置することとなり、全ての注入ポンプ位置決め部（凹部）４と注入ポンプ取付ガイド６とで形成される凹部が注入ポンプ取付方向選択レバー７の回動操作により一括に同形状に切り替えられ、且つその凹部はプランジャー１５とプランジャー用凹部１７とが嵌め合うことにより、その形状が保持される。
【００２１】
図２に本システムで使用するシリンジポンプ（薬液注入ポンプ）２００を図示する。図２において、２０はシリンジを取り付けるためのレバー、２１はシリンジの押し子を押すスライダー、２２は流量表示部、２３は流量，流速等の設定入力部、２４は薬液注入ポンプ設置用カートと固定するための固定ネジ穴、２５は薬液注入ポンプ設置用カート１００と固定する際の位置決め用のラック取付位置決め部（凸部）、２６，２７はシリンジポンプ（注入ポンプ）２００の底面に設けられた流量表示切り替えのためのマイクロスイッチ（装着方向検出手段）を示す。
【００２２】
注入ポンプ２００の底面に形成されているラック取付位置決め部（凸部）２５は固定ネジ穴２４の中心点に対して非点対称形状となっている。ラック取付位置決め部（凸部）２５は、その外壁面が長方形形状をしている薬液注入ポンプ設置用カート１００に設けられている注入ポンプ位置決め部（凹部）４の内壁面のうち底面を除いた４面について一部もしくはほぼ全面が接する形状および寸法となっている。
【００２３】
注入ポンプ２００の底面に設けられている流量表示方向切替用のマイクロスイッチ２６，２７は、薬液注入ポンプ設置用カート１００に設けられている注入ポンプ取付ガイド６により押下される位置にある。右側マイクロスイッチ２６のみが押下状態になった場合は注入ポンプが図２（ａ）の状態において正しく読める向きに流量表示され、左側マイクロスイッチ２７のみが押下状態になった場合は注入ポンプが図２（ｂ）の状態において正しく読める向きに流量表示される。
【００２４】
両方のマイクロスイッチが押下状態もしくは非押下状態になった場合の流量表示の向きは、注入ポンプにて設定可能とする。尚、該注入ポンプには図２に示されたもの全てが設けられている必要はなく、流量表示部および流量設定部を有していなくても構わない。
【００２５】
図２（ｃ）、（ｄ）、（ｅ）に２２の流量表示部２２の一例を示す。（ｃ）は非通電状態であり、（ｄ）はマイクロスイッチ２６のみが押下状態になった場合であり、（ｅ）はマイクロスイッチ２７のみが押下状態になった場合を示す。（ｄ）、（ｅ）との２５．０ｍＬ／ｈの流量値を示している。本例においては流量の整数部が３桁、小数部が１桁あり、（ｄ）と（ｅ）では１８０度回転した時に同じような表示になるような液晶配置になっている。なお本例では、７セグメントタイプの液晶に関して例示したが、ドットマトリクスタイプの液晶などは、表示ソフトウェアの対応で同じような効果を簡単に具現化できることは明らかである。また、流量表示部２２，設定入力部２３を纏めてドットマトリックスタイプの液晶配置としてもよい。
【００２６】
薬液注入ポンプ設置用カート１００への注入ポンプ２００の設置は、注入ポンプ２００の固定ネジ穴２４に薬液注入ポンプ設置用カート１００の注入ポンプ取付位置決め部（凹部）４の中心に設けられている固定ネジ８を締結することにより固定される。このとき注入ポンプ２００のラック取付位置決め部（凸部）２５を薬液注入ポンプ設置用カート１００の注入ポンプ取付位置決め部（凹部）４と注入ポンプ取付ガイド６とで形成される凹部に奥まで挿入し、固定ネジ８にて固定することになる。
【００２７】
しかしながら、ラック取付位置決め部（凸部）２５は固定ネジ穴２４を中心に非点対称形状であり、且つラック取付位置決め部（凸部）２５の外壁面は長方形形状の注入ポンプ取付位置決め部（凹部）４の内壁面のうち底面を除く４面にて接する形状および寸法であることから、注入ポンプ２００が薬液注入ポンプ設置用カートに設置可能な向きは注入ポンプ取付ガイド６の位置および形状によって一義的に決定される。
【００２８】
即ち、注入ポンプ取付方向選択レバー７が上方にある場合（図３（ａ）参照）は、ラック取付位置決め部（凸部）２５の切り欠き部２８に注入ポンプ取付ガイド６が嵌め合う（係合する）ことになり、注入ポンプ２００と薬液注入ポンプ設置用カート１００とは一方向にのみ固定可能となり、また、注入ポンプ取付方向選択レバー７が下方にある場合（図３（ｂ）参照）は、ラック取付位置決め部（凸部）２５の切り欠き部２９に注入ポンプ取付ガイド６が嵌め合う（係合する）ことになり、注入ポンプ取付方向選択レバー７が上方にある場合と逆の方向にのみ注入ポンプが薬液注入ポンプ設置用カートに固定可能となる。
【００２９】
以上の構成において、注入ポンプ取付方向選択レバー７を停止位置まで回動することにより注入ポンプ取付ガイド６が上下移動し、全ての注入ポンプ位置決め部（凹部）４と注入ポンプ取付ガイド６とで形成される凹部が一括に同形状に変更される。これにより注入ポンプ位置決め凹部４と注入ポンプ取付ガイド６とで形成される凹部により薬液注入ポンプ設置用カート１００に取り付け可能な注入ポンプ２００の方向が一義的に決定される。つまり全ての注入ポンプ２００の設置方向を注入ポンプ取付方向選択レバー７の操作により２種類の設置方向からいずれかに一括選択可能になる。
【００３０】
また、注入ポンプ取付ガイド６の位置により表示，非表示される注入ポンプ取付方向表示１８を注入ポンプ位置決め部（凹部）４の底面に設けることにより、注入ポンプの取付可能な方向を目視可能となり、さらに医療過誤を防止できる。また、注入ポンプ２００に流量表示部２２や設定入力部２３がポンプについていない場合には、注入ポンプ取付部３（図１内）の脇にポンプ設定流量などが表示可能な流量表示部を取り付ける。
【００３１】
図４は、上記実施例の注入ポンプ設置方向を左右方向の２種類から選択するのに加えて、左右方向どちらも設置可能な状態を選択可能にした実施例である。同一符号は図１，図３と同一の構成を示している。
【００３２】
プランジャー用凹部１７’はポンプ取付方向選択レバー７がほぼ水平状態であるときにプランジャー１５のスプリング部１６が嵌まる位置に設けられている。プランジャー用凹部１７’の寸法およびスプリング部１６のバネ力（付勢力）は、上記実施例と同様にスプリング部１６がプランジャー用凹部１７’に嵌まっている（係合）状態では注入ポンプ取付ガイド１４および注入ポンプ取付方向選択レバー７が固定され、且つ注入ポンプ取付方向選択レバー７が過大な力を要することなく回動操作可能である寸法およびバネ力に設定されている。
【００３３】
注入ポンプの裏側に設けられているラック取付位置決め部（凸部）２５は、注入ポンプ２００を図２（ａ）の方向に設置する場合に注入ポンプ取付方向選択レバー７の位置がほぼ鉛直方向上方またはほぼ水平方向のいずれにおいても注入ポンプ位置決め部（凹部）４と注入ポンプ取付ガイド６とで形成される凹部と嵌合可能である切り欠き部２８と、注入ポンプ２００を図２（ｂ）の方向に設置する場合は、注入ポンプ取付方向選択レバー７の位置がほぼ水平方向またはほぼ鉛直方向下方のいずれにおいても注入ポンプ位置決め部（凹部）４と注入ポンプ取付ガイド６とで形成される凹部と嵌合可能である切り欠き部２９を有する形状および寸法となっている。
【００３４】
即ち、注入ポンプ取付方向選択レバー７が鉛直方向上方にある場合は、注入ポンプ２００は図２（ａ）の方向のみに、ほぼ鉛直方向下方にある場合は、注入ポンプ２００は図２（ｂ）の方向のみに取り付け可能であり、注入ポンプ取付方向選択レバー７がほぼ水平方向にある場合は図２（ａ）および図２（ｂ）のいずれの方向にも取り付け可能となる。ただし、この場合のラック取付位置決め部（凸部）２５の形状は図３の例に対応する凸部形状と異なるかもしくは同じ形状となる。  尚、本発明は上記の実施形態に限られるものではなく本発明の趣旨を逸脱しない範囲の設計変更等があっても本発明に含まれることは言うまでもなく、注入ポンプ２００の取り付け方向選択手段である注入ポンプ取付方向選択レバー７は回動自在でなく、スライド自在にすることもでき、注入ポンプ取付ガイド６もスライド移動でなく回転移動にすることもできる。また、可動部の移動を操作レバーによる手動ではなくモータなどによる電動にて駆動させることもできる。さらに薬液注入ポンプのラック取付位置決め部（凸部）２５を凸部でなく凹部にし、薬液注入ポンプ設置用カートの注入ポンプ取付位置決め（凹部）４を凸部にすることもできる。
【００３５】
【発明の効果】
本発明によれば、注入ポンプ取付方向選択レバーを簡単に操作することで、１種類のラックでシリンジポンプの係合位置を変更でき、複数のシリンジポンプを左右のいずれかの方向に一度に向きを変えて装着することが可能となり、患者のベッドサイドで輸液ライン（輸液チューブ）が複雑に絡むことがない。
【図面の簡単な説明】
【図１】本発明の薬液注入ポンプ設置用カートの実施例を示す全体斜視図である。
【図２】図１に示す薬液注入ポンプ設置用カートに設置される注入ポンプの図である。
【図３】図１に示す薬液注入ポンプ設置用カートにおける注入ポンプ取付方向選択機構部の要部要面斜視図及び注入ポンプ取付方向選択機構の拡大図である。
【図４】図３の注入ポンプ取付方向を右向き、左向きのいずれかから選択するのに加えて左右方向いずれも取付可能な場合を選択可能にした注入ポンプ取付方向選択機構部の要部断面斜視図及び注入ポンプ取付方向選択機構の拡大図である。
【図５】従来のＩＣＵ等における薬液注入ポンプ設置用カートと患者および患者ベッドの配置関係を示した斜視図である。
【符号の説明】
１…可動基台
２…支柱
３…注入ポンプ取付部
４…注入ポンプ位置決め凹部
５…フック
６…注入ポンプ取付ガイド
７…注入ポンプ取付方向選択レバー
８…固定ネジ
９…キャスタ
１０…作動ピン
１１…連結部
１２…長穴部
１３…回転軸
１４…摺動ガイド
１５…プランジャー
１６…スプリング部
１７…プランジャー用凹部
１８…注入ポンプ取付方向表示記号
２０…流量表示部
２１…レバー
２２…押し子
２３…流量設定部
２４…固定ネジ穴
２５…ラック取付位置決め凸部
２６…右側マイクロスイッチ
２７…左側マイクロスイッチ
２８…切り欠き部
２９…切り欠き部
５０…患者
５１…患者用ベッド
５２，１００…輸液カート（輸液ラック）
５３ａ，５３ｂ，５３ｃ，５３ｄ，２００…シリンジポンプ
【図１】
2004337235.tif 000003
【図２】
2004337235.tif 000004
【図３】
2004337235.tif 000005
【図４】
2004337235.tif 000006
【図５】
2004337235.tif 000007